(57)【特許請求の範囲】
【請求項１】
第２のディスプレイ・アセンブリと背中合わせで置かれている第１のディスプレイ・アセンブリと、
前記第１のディスプレイ・アセンブリと前記第２のディスプレイ・アセンブリとの間に全体が位置する、取り囲まれたプレナムであって、前記取り囲まれたプレナムから、前記取り囲まれたプレナム内に配置された循環空気が出ることを防止するように、実質的に密封される前記取り囲まれたプレナムと、
前記取り囲まれたプレナムと前記第１のディスプレイ・アセンブリとの間で規定される第１の隙間と、
前記取り囲まれたプレナムと前記第２のディスプレイ・アセンブリとの間で規定される第２の隙間と、
前記第１の隙間及び前記第２の隙間を介して外部空気に力を与えるように配置されたファンと、
を備える、背合わせの電子ディスプレイ・アセンブリ。
【請求項２】
前記取り囲まれたプレナム内に配置されたプレナム・ファンを
更に備える請求項１に記載の背合わせの電子ディスプレイ・アセンブリ。
【請求項３】
前記取り囲まれたプレナム内には、第１のディスプレイを作動させるための１以上の電子構成要素が配置される、請求項１に記載の背合わせの電子ディスプレイ・アセンブリ。
【請求項４】
前記電子構成要素は、電源モジュールである、請求項３に記載の背合わせの電子ディスプレイ・アセンブリ。
【請求項５】
前記取り囲まれたプレナムは、互いに対向する第１の壁及び第２の壁と、頂部壁と、底部壁と、１組の側部壁と、を有する、請求項１に記載の背合わせの電子ディスプレイ・アセンブリ。
【請求項６】
前記頂部壁と前記第２の壁との間に配置されるガスケットを
更に備える請求項５に記載の背合わせの電子ディスプレイ・アセンブリ。
【請求項７】
前記第２のディスプレイ・アセンブリは、前記第１のディスプレイ・アセンブリに対して相対的に移動可能である、請求項１に記載の背合わせの電子ディスプレイ・アセンブリ。
【請求項８】
前記第１の壁は、前記第１のディスプレイ・アセンブリに対して相対的に固定され、
前記第２の壁は、前記第２のディスプレイ・アセンブリに対して相対的に固定される、請求項５に記載の背合わせの電子ディスプレイ・アセンブリ。
【請求項９】
前記第１の隙間は、前記取り囲まれたプレナムの前記第１の壁と前記第１のディスプレイ・アセンブリ用のＬＥＤバックライトとによって、更に規定され、
前記第２の隙間は、前記取り囲まれたプレナムの前記第２の壁と前記第２のディスプレイ・アセンブリ用のＬＥＤバックライトとによって、更に規定される、請求項５に記載の背合わせの電子ディスプレイ・アセンブリ。
【請求項１０】
前記取り囲まれたプレナム内に配置される第１の仕切り壁と、
前記取り囲まれたプレナム内に配置され、前記第１の仕切り壁と実質的に垂直に配置される第２の仕切り壁と、
を更に備える請求項１に記載の背合わせの電子ディスプレイ・アセンブリ。
【請求項１１】
前記第１の仕切り壁又は前記第２の仕切り壁内に配置されるプレナム・ファンを
更に備える請求項１０に記載の背合わせの電子ディスプレイ・アセンブリ。
【請求項１２】
第２のＬＥＤバックライト・ディスプレイと背中合わせで置かれている第１のＬＥＤバックライト・ディスプレイと、
前記第１のＬＥＤバックライト・ディスプレイと前記第２のＬＥＤバックライト・ディスプレイとの間に全体が位置する、取り囲まれたプレナムであって、
第１のＬＥＤバックライトと対向する第１の壁と、
第２のＬＥＤバックライトと対向する第２の壁と、
頂部壁と、
底部壁と、
前記第１の壁と前記第２の壁との間に延びる、１組の側部壁と、
を有し、前記取り囲まれたプレナムから、前記取り囲まれたプレナム内に配置された循環ガスが出ることを防止するように、実質的に密封される、前記取り囲まれたプレナムと、
前記第１の壁と前記第１のＬＥＤバックライトとの間の空間によって規定される第１の隙間と、
前記第２の壁と前記第２のＬＥＤバックライトとの間の空間によって規定される第２の隙間と、
前記第１の壁又は前記第２の壁に取り付けられる電子構成要素と、
前記第１の隙間及び前記第２の隙間を介して外部空気に力を与えるように配置された第１のファンと、
前記取り囲まれたプレナム内に配置されて、前記取り囲まれたプレナムの前記第１の壁と前記第２の壁との間を接続する仕切り壁と、
前記仕切り壁に設けられて、前記取り囲まれたプレナム内の循環ガスを動かす前記第２のファンと、
前記取り囲まれたプレナム内に配置されて、前記第１の仕切り壁と接続し、且つ前記取り囲まれたプレナムの前記第１の壁と前記第２の壁との間を接続する追加の仕切り壁と、
を備える、背合わせの電子ディスプレイ・アセンブリ。
【請求項１３】
前記第１の壁は、第１のディスプレイに対して相対的に固定され、
前記第１の壁は、第１のディスプレイに対して相対的に固定される、請求項１２に記載の背合わせの電子ディスプレイ・アセンブリ。
【発明の詳細な説明】
【技術分野】
【０００１】
（関連出願の相互参照）
本出願は、2014年4月30日付け出願の米国特許出願第61/986,724号の優先権を主張し、その参照により、その全体を取り込むものである。
【０００２】
（技術分野）
実施形態は、概して、電子ディスプレイを導入するための冷却システム及びその方法に関する。
【背景技術】
【０００３】
（技術背景）
電子ディスプレイは、屋外環境又は他の領域にしばしば用いられ、そこでは周囲温度が高いか、或いはそこにはディスプレイ内の温度を上昇させ得るソーラー負荷等の熱源がある。しかしながら、そのディスプレイのいくつかの部分は、単にディスプレイのいくつかの部分に周りの空気を取り込むだけでは冷却することが困難であり、そのディスプレイの感度の良い部分にほこりが入って汚れてしまうので、故障を早めてしまう。いくつかの場所において、小さい設置面積だけが許容され、結果として、背合わせで電子ディスプレイを設置することが望まれている。
【発明の概要】
【課題を解決するための手段】
【０００４】
（典型的な実施形態の概要）
典型的な実施形態により、背合わせの電子ディスプレイ・アセンブリが提供され、そこでは電子構成要素が、シールされたプレナム内に含まれている。外部空気は、そのプレナムの壁と電子ディスプレイ・アセンブリの裏面との間に取り入れられて通過する。２つの電子ディスプレイ・アセンブリは、互いに相対的に移動可能であり、その結果、プレナムは、容易に開けることができ、電子機器は、保守及び／又は交換を利用することができる。
【０００５】
本発明の前述の特徴及び利点、並びに他の特徴及び利点は、添付の図面で図示される特定の実施形態のより詳細な説明によって、明らかになるであろう。
【図面の簡単な説明】
【０００６】
（図面の簡単な説明）
典型的な実施形態をより良く理解するために、以下の詳細な説明及び添付の図面を参酌することができ、添付図面においては、同一の部品には同一の符号が付されている。
【図１】縦断面線Ａ−Ａを示す典型的な背合わせの電子ディスプレイ・アセンブリの正面平面図である。
【図２】Detail 3（細部3）及びDetail 4（細部4）とともに縦断面線Ｂ−Ｂを示す縦断面線Ａ−Ａに沿った断面図である。
【図３】細部3の詳細な断面図である。
【図４】細部4の詳細な断面図である。
【図５】第１のディスプレイ・アセンブリから回転して離れた第２のディスプレイ・アセンブリを示し、且つDetail 6（細部6）も示す縦断面線Ａ−Ａに沿った断面図である。
【図６】細部6の詳細な断面図である。
【図７】第２のディスプレイ・アセンブリから回転して離れた第１のディスプレイ・アセンブリの代替的な実施形態の透視図である。
【図８】Detail 9（細部9）を表す縦断面線Ｂ−Ｂに沿った透視図である。
【図９】柱である細部9の詳細な透視図である。
【図１０】第２のディスプレイ・アセンブリ上の対応するフックの詳細な透視図である。
【発明を実施するための形態】
【０００７】
（詳細な説明）
本発明の典型的な実施形態が示される添付の図面を参酌することによって、以下に、本発明をより十分に説明する。しかしながら、本発明は、多くの異なる態様で実施することができ、従って、本明細書での典型的な実施形態に限定されることを意図されていない。むしろ、これらの実施形態が提供されることで、本開示は、完全に完成し、本発明の範囲を完全に当業者に理解させることができる。図面において、層及び範囲のサイズ、相対的サイズは、明確化のため、強調されている場合がある。
【０００８】
本明細書における用語は、特定の実施形態を説明する目的で使用されており、本発明を限定する意図を持っていない。本明細書において使用されている、単数形は、明らかにその文脈から異なることが明示されていない限り、複数形をも含む意図を持っている。また、用語「備える」及び／又は「備えている」は、本明細書における使用において、記載された特徴、整数、ステップ、動作、構成及び／又は構成要素の存在を明示していることを理解することができるが、１又は複数の他の特徴、整数、ステップ、動作、構成、構成要素、及び／又はそれらの群の存在を排除するものではない。
【０００９】
本発明の実施形態は、本発明の理想的な実施形態（及び中間構造）が図示された概要である図面を参酌しながら、以下に説明する。従って、結果として図示された形状における変更、例えば、製造上の技法及び／又は許容誤差などは、予期されている。従って、本発明の実施形態は、本出願で図示された領域の特定の形状に限定されることを意図しておらず、例えば製造からの結果物の形状には偏差を含むものである。
【００１０】
他に定義しない限り、本明細書で使用される用語（技術用語及び化学用語を含む）は、本発明が属する技術分野の当業者によって通常理解される意味を持つ。例えば一般的に用いられる辞書で定義された用語は、関連技術の文脈における意味と一致する意味を持つように理解されるべきであり、特に本明細書で定義されない限り理想的な意味又は過度に正式な意味で解釈されるものではない。
【００１１】
図１は、縦断面線Ａ−Ａを示す、典型的な背合わせのディスプレイ・アセンブリ1000の平面図である。この方位において、第１のディスプレイ・アセンブリ201は、視認できる唯一のディスプレイである。
【００１２】
図２は、Detail 3（細部3）及びDetail 4（細部4）とともに縦断面線Ｂ−Ｂを示す縦断面線Ａ−Ａに沿った断面図である。第１のディスプレイ・アセンブリ201は、第２のディスプレイ・アセンブリ401と、背中合わせで置かれている。典型的な実施形態において、２つのディスプレイ・アセンブリ201及び401は、各ディスプレイ・アセンブリが互いに向き合う背面と実質的に平行である。好ましくは、第１のディスプレイ・アセンブリ201は、フロント・カバー・ガラス200、ＬＣＤパネル210、ＬＥＤバックライト220を含む。好ましくは、第２のディスプレイ・アセンブリ401は、フロント・カバー・ガラス400、ＬＣＤパネル410、ＬＥＤバックライト420を含む。本明細書にはＬＥＤバックライトＬＣＤテクノロジーで示され、説明されているが、本明細書における典型的な実施形態は、任意の形態のフラット・パネル・ディスプレイで実施されてもよく、その任意の形態は、限定されるものではないが、ＯＬＥＤ、ＬＥＤ、プラズマ、他の発光ポリマを含んでいる。これらの実施形態において、ＬＥＤバックライトの背面は、単純に、ＯＬＥＤ、ＬＥＤ、プラズマ、又は発光ポリマのディスプレイの背面になる。
【００１３】
取り囲まれたプレナム（plenum）500は、好ましくは、２つのディスプレイを作動させる電子機器800を含み、また、２つのディスプレイ・アセンブリ201及び401の間に位置している。ファン600も、２つのディスプレイ・アセンブリ201及び401の間に位置し、また、アセンブリ1000を通過する周囲の外部空気を引くように位置し、好ましくは、外部空気のプレナム500への流れ込みを不可能にする。単一のファン600だけが示されているが、図示されたファン600と同じ位置又は異なる位置で複数のファンをいくつかの実施形態に用いてもよい。更に、ファン600がアセンブリ1000から外部空気を引くように示されているが、ファン600は、アセンブリ1000から外部空気を押すように位置してもよい。加えて、アセンブリ1000の底部に示さているが、その代わりに頂部に配置されてもよい。
【００１４】
図３は、細部3の詳細な断面図である。図４は、細部4の詳細な断面図である。プレナム500は、好ましくは、第１のディスプレイ・アセンブリ201と対向する第１の壁740と、第２のディスプレイ・アセンブリ401と対向する第２の壁730と、頂部壁710と、底部壁715と、（この図面に図示されない）１組の対向する側部壁と、で取り囲まれる。この実施形態において、第１の壁740、頂部壁710、底部壁715及び１組の対向する側部壁は、互いに相対的に固定される一方、第２の壁730は、これらの部材に対して相対的に移動可能である。ここに示されている一方、他の実施形態では、第２の壁730は、頂部壁710、底部壁715及び１組の対向する側部壁に対して相対的に固定されてもよく、第１の壁740がこれらの部材に対して相対的に移動可能であってもよい。好ましくは、壁740,710,715,730及び側部壁は、金属製であり、更に好ましくは、アルミニウムである。
【００１５】
ガスケット700が第２の壁730と、第１の壁740、頂部壁710、底部壁715、１組の対向する側部壁との間で圧縮される場合に、第２の壁730は、プレナム500を密封する。そのプレナム内に含まれる電子機器800は、外部空気の流れ575及び550、また可能性のある任意の汚染物質、微粒子、又は存在し得る水蒸気から保護される。その電子機器は、これらに限定されないが、例えば、電源、マイクロプロセッサ、プリント回路基板、電子メモリ、送信／受信・デバイス、及びビデオ・プレイヤを含む。好ましくは、電子機器800は、また、第１の壁740又は第２の壁730と、或いはその両者と、熱的に伝達可能である（更に好ましくは伝導性を有する）。この方法で、電子機器800からの熱は、第１の壁740に伝わって第１の外部空気の流れ575で取り除くことができ、又は第２の壁730に伝わって第２の外部空気の流れ550で取り除くことができる。
【００１６】
第１の隙間は、好ましくは、第１のディスプレイ・アセンブリ201とプレナム500の第１の壁740とで規定される。第２の隙間は、好ましくは、第２のディスプレイ・アセンブリ401とプレナム500の第２の壁730とで規定される。この特定の実施形態において、ＬＥＤバックライトを備えるＬＣＤが用いられ、その第１の隙間は、ＬＥＤバックライト220の背面と第１の壁740と間に設けれ、その第２の隙間は、ＬＥＤバックライト420の背面と第２の壁730と間に設けれている。第１の外部空気の流れ575は、入口の開口部を介してハウジングの内部に取り込まれ、第１の隙間を介して力を受け、出口の開口部を介してハウジングの外部に排出される。第２の外部空気の流れ550は、入口の開口部を介してハウジングの内部に取り込まれ、第２の隙間を介して力を受け、出口の開口部を介してハウジングの外部に排出される。この方法で、空気の流れ575は、ＬＥＤバックライト220及び第１の壁740から同時に熱を除去することができ、また、空気の流れ550は、ＬＥＤバックライト420及び第２の壁730から同時に熱を除去することができる。
【００１７】
図５は、第１のディスプレイ・アセンブリから回転して離れた第２のディスプレイ・アセンブリを示し、且つDetail 6（細部6）も示す縦断面線Ａ−Ａに沿った断面図である。この実施形態において、第１のディスプレイ・アセンブリ201は、固定されたままである一方、第２のディスプレイ・アセンブリ401は、第１のディスプレイ・アセンブリ201から離れるように移動又は回転することができ、これにより、プレナムの内側及び電子機器800の内部にアクセスすることができる。
【００１８】
図６は、細部6の詳細な断面図である。ここでは、傾斜したレイン・キャッチャ(rain catcher)705が入口の開口部の下でプレナムの上に配置され、これにより、任意の液化したものを集めて第１の隙間に向けることができる。また、この図面は、第２のディスプレイ・アセンブリ401と一緒に第２の壁730の移動を示し、これらが第１の壁740、頂部壁710、底部壁715及び１組の対向する側部壁から遠ざかる場合に、プレナムの内部にアクセスすることができる。
【００１９】
図７は、第２のディスプレイ・アセンブリから回転して離れた第１のディスプレイ・アセンブリの代替的な実施形態の透視図であり、第１のディスプレイ・アセンブリ201は、（固定したままである）第２のディスプレイ・アセンブリ401から離れるように回転する。ここでは、１組のガス・スプリング850が用いられて、ディスプレイ・アセンブリ201の回転を補助し、その開位置を保ったままで、プレナム500の内部を保守点検することができる。
【００２０】
図８は、Detail 9（細部9）を表す縦断面線Ｂ−Ｂに沿った透視図である。この実施形態において、第１の壁740は、様々な電子機器800を固定するために使用することができる。なお、これらの機器はその壁の代わりに背部壁730に固定されてもよい。いくつかの実施形態において、電子機器800は、第１の壁740及び第２の壁730の双方に固定されてもよい。頂部壁710は、プレナムに空気の流れが入ることを実質的に防止する。開口120は、好ましくは、頂部壁710の上又はその近くに配置され、これにより、空気の流れ575は、第１の壁740とＬＥＤバックライト220の背部との間の空間の開口によって規定される隙間に入ることができる。同様の方法で、もう１つの開口（ここでは図示せず）は、好ましくは、頂部壁710の上又はその近くに配置され、これにより、空気の流れ550は、第２の壁730とＬＥＤバックライト420の背部との間の空間の開口によって規定される隙間に入ることができる。
【００２１】
ガスケット700は、好ましくは、第１の壁740の外周の周りに配置され、その結果、ガスケット700は、ユニットが閉じる時に、プレナムの壁（頂部壁710、底部壁715及び１組の対向する側部壁）と第２の壁730との間で圧縮される。好ましくは、１組の仕切り壁80/85が使用されて、仕切り壁の一方（ここでは80）だけを通るプレナム500の周囲のループを規定することができる。一般的には、仕切り壁80/85は、プレナムの第１の壁740と第２の壁730との間を接続する。典型的な実施形態において、仕切り壁80は、仕切り壁85に垂直である。更により好ましくは、仕切り壁80は、水平に配置されてファンを含む一方、仕切り壁85は、仕切り壁80の端部に接続されて、且つ垂直に配置されるがファンを含まない。ファンは仕切り壁80内にのみ示されているが、ファンは、その代わりに、仕切り壁85内に位置してもよい。即ち、仕切り壁85内だけファンが設けられて、仕切り壁80内にはファンが設けられなくてもよい。典型的な空気の流れに関して、第１のファン75をディスプレイ・アセンブリの中央に置き、第２のファン77をディスプレイ・アセンブリの外周に置くことで、１組のガス・ループ501及び510がそれぞれ発生する。
【００２２】
複数の入口／出口の電気接続部25は、好ましくは、ディスプレイ・アセンブリ201の頂部で、傾斜したレイン・キャッチャ705の下に配置される。また、１組の固定ピン50及び51は、ディスプレイ・アセンブリ201の頂部に設けられる。複数のラッチ120,122,125は、好ましくは、ディスプレイ・アセンブリ201の底部に設けられる。なお、３つのラッチを備える図示の実施形態は、１つ又は２つのラッチだけを備えるものに置換されてもよい。この図面には、ガス・スプリング850又は他の指示抵抗要素のために、取り付けブラケット900及び910が示されている。
【００２３】
図９は、柱である細部9の詳細な透視図である。ここでは、柱51の詳細が図示される。この実施形態において、シリンダは、水平に移動し、２つの位置決め壁53（ディスプレイ・アセンブリ201の外周に最も近い）及び54（ディスプレイ・アセンブリ201の中心に最も近い）によって分割されている。その後、シリンダは、固定部分55（壁53/54の間に位置する）及び内部部分52（モジュール500の中心に向かって移動する壁54で始まる）によって識別することができる。
【００２４】
図１０は、第２のディスプレイ・アセンブリ401上の対応するフック450の詳細な透視図である。１組の固定フック450は、好ましくは、第２のディスプレイ・アセンブリ401の頂部に配置され、固定柱50及び51にそれぞれ対応する。好ましくは、フック450は、固定部分55の周囲の周りを包み、そこでは、フック300が壁54及び53の間で安定している。
【００２５】
本発明の好ましい実施形態を示し、説明することによって、当該技術分野の当業者は、説明した発明に係る多くの変形及び修正が特許請求の範囲に記載の発明の範囲内に含まれることを理解することができる。加えて、上述の要素の多くは、特許請求の範囲に記載の発明の精神内で同じ結果を生む異なる要素に置換することができる。従って、本発明は、特許請求の範囲によって明示された時だけ、その範囲で限定されるものである。
【図１】
0006305564.tif 000002
【図２】
0006305564.tif 000003
【図３】
0006305564.tif 000004
【図４】
0006305564.tif 000005
【図５】
0006305564.tif 000006
【図６】
0006305564.tif 000007
【図７】
0006305564.tif 000008
【図８】
0006305564.tif 000009
【図９】
0006305564.tif 000010
【図１０】
0006305564.tif 000011